(57)【要約】【課題】従来、熱交換器の前面に、空気調和機の本体内部へ埃が侵入することを防ぐためのエアフィルターが設けられており、このエアフィルターは付着した塵埃を手で清掃できるように着脱自在に構成されており、このフィルター装置は頻繁なメンテナンスが必要となるだけでなく、メンテナンスが行われるまでの間にはエアフィルターが徐々に目詰まりしていき、熱交換器を通過する風量が低下して空調能力が低下して消費電力の増大につながることとなっていた。本発明は、塵埃吸引装置のファンに吸引した塵埃のファン表面への付着、堆積を防止し信頼性の高い空気調和機の塵埃吸引装置を提供することを目的とする。【解決手段】塵埃吸引装置のケーシング部から塵埃吸引装置のファンの内周面近傍にあるＬ字状の板バネにより塵埃のファン表面への付着、堆積を防止するとともに、塵埃がＬ字状の板バネとファンとの間に引っ掛りファンがロックするのを防止する。【選択図】図５
2007298208.tif 000002
【特許請求の範囲】
【請求項１】
空気調和機の室内ユニットにおいて、塵埃吸引装置を搭載した室内ユニットであって、前記塵埃吸引装置の外郭を構成するケーシング部から塵埃吸引装置のファンの内周面近傍にＬ字状の板バネを設けたことを特徴とする空気調和機の塵埃吸引装置。
【請求項２】
前記Ｌ字状の板バネの先端部分が円弧状であることを特徴とする請求項１に記載の空気調和機の塵埃吸引装置。
【請求項３】
前記Ｌ字状の板バネは、前記外郭を構成するケーシング部とバネで固定されていることを特徴とする請求項１〜２に記載の空気調和機の塵埃吸引装置。
【発明の詳細な説明】
【技術分野】
【０００１】
本発明は空気調和機に関し、さらに詳しくはフィルターの清掃を自動的に行うようにした空気調和機の塵埃吸引装置の構造に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、特開平６−７４５２１号公報のようにエアフィルターの自動清掃装置として好ましいのはフィルターに付着した塵埃を吸引ノズルを介して塵埃吸引装置により吸引清掃し、吸引された塵埃は室外へ排出する自動清掃装置が考案されている（例えば、特許文献１参照）。
【特許文献１】特開平０４−０８４０４２号公報
【発明の開示】
【発明が解決しようとする課題】
【０００４】
しかしながら、フィルターに付着した塵埃を吸引ノズルを介して塵埃吸引装置により吸引清掃し、吸引された塵埃は室外へ排出するが、塵埃吸引装置の外郭を構成するケーシング部から塵埃吸引装置のファンに吸引した塵埃がファン表面に付着、堆積を防止するために塵埃吸引装置のファンの内周面近傍にＬ字状のリブを設けたが最悪の場合、塵埃がＬ字状のリブとファンとの間に引っ掛りファンがロックし塵埃の排出が不可能になる場合があるという課題があった。
【０００５】
本発明は、前記従来の課題を解決するもので、塵埃吸引装置のファンの内周面近傍にＬ字状の板バネを設けることにより、塵埃吸引装置のファンに吸引した塵埃がファン表面に付着、堆積を防止するとともに、塵埃がＬ字状の板バネとファンとの間に引っ掛りファンがロックするのを防止し、信頼性の高い空気調和機の塵埃吸引装置を提供することを目的とする。
【課題を解決するための手段】
【０００６】
従来の課題を解決するために、本発明の請求項１は空気調和機の塵埃吸引装置の外郭を構成するケーシング部から塵埃吸引装置のファンの内周面近傍にＬ字状の板バネを設けたものである。
【０００７】
これによって、フィルターに付着した塵埃を吸引ノズルを介して塵埃吸引装置により吸引された塵埃は、ケーシング部と塵埃吸引装置のファンとの間にあるＬ字状の板バネにより、塵埃のファン表面への付着、堆積を防止するとともに、塵埃がＬ字状の板バネとファンとの間に引っ掛りファンがロックするのを防止し、信頼性の高い空気調和機の塵埃吸引装置を提供することが可能となる。
【発明の効果】
【０００８】
本発明によれば、空気調和機の塵埃吸引装置のファン表面への塵埃の付着、堆積を防止し、塵埃がＬ字状の板バネとファンとの間に引っ掛りファンがロックするのを防ぐことが
できる。
【発明を実施するための最良の形態】
【０００９】
第１の発明は、熱交換器を通過する空気の塵埃を除去するエアフィルターと、前記エアフィルターに沿って移動可能な吸引ノズルと、前記吸引ノズルに連結された塵埃吸引装置により構成されるフィルター装置を具備した空気調和機において、前記塵埃吸引装置のケーシング部から塵埃吸引装置のファンの内周面近傍にＬ字状の板バネを設けることにより、ファン表面に付着した塵埃をＬ字状の板バネで剥離、離脱させ塵埃を室外へ排出し易くすることができる。また、板バネとファンとの間に剥離、離脱させた塵埃の固まりが通っても、板バネの弾性によりＬ字状の板バネとファンとの間に塵埃が引っ掛るのを防止するとともに塵埃を室外へ排出し易くし、ファンのロックを防止することにより、信頼性の高い空気調和機の塵埃吸引装置を提供することができる。
【００１０】
第２の発明は、特に、第１の発明のケーシング部から塵埃吸引装置のファンの内周面近傍に設けたＬ字状の板バネの先端形状を円弧状にすることにより、ファン表面に付着した塵埃を剥離、離脱させ易くし塵埃を室外へ排出し易くすることができる。また、板バネとファンとの間に剥離、離脱させた塵埃の固まりが通っても、板バネの弾性によりＬ字状の板バネとファンとの間に塵埃が引っ掛るのを防止するとともに塵埃を室外へ排出し易くし、ファンのロックを防止することにより、信頼性の高い空気調和機の塵埃吸引装置を提供することができる。
【００１１】
第３の発明は、特に、第１〜２の発明のケーシング部から塵埃吸引装置のファンの内周面近傍に設けたＬ字状の板バネをバネを介してケーシング部に固定されていることにより、ファン表面に付着した塵埃を剥離、離脱させ易くし塵埃を室外へ排出し易くすることができる。また、板バネとファンとの間に剥離、離脱させた塵埃の固まりが通っても、バネの弾性によりＬ字状の板バネがファンから離れることにより、ファンとの間に塵埃が引っ掛るのを防止するとともに塵埃を室外へ排出し易くし、ファンのロックを防止することにより、信頼性の高い空気調和機の塵埃吸引装置を提供することができる。
【００１２】
以下、本発明の実施の形態について図面を参照して説明する。なお、この実施の形態によって本発明が限定されるものではない。
【００１３】
（実施の形態１）
図１は、本発明における空気調和機の室内ユニットであり、図２はフィルター自動清掃装置である。
【００１４】
図３にも示すように、室内機１内の側面近傍には、エアフィルター２に付着した塵埃を吸引して排出するための塵埃吸引装置３が設置されている。この塵埃吸引装置３の吸い込み側部分には、蛇腹形状の吸い込みダクト４を介して吸い込みノズル５が接続されているとともに、塵埃吸引装置３の吹き出し側部分には、その先端が室外へ連通されている排気ダクトが接続されている。
【００１５】
吸い込みノズル５におけるエアフィルター２に臨む面には、エアフィルター２の上面部から前面部にかけて複数の吸い込み孔５ａが並んで形成され、後述する塵埃吸引装置３の吸引動作により、各吸い込み孔５ａからエアフィルター２の塵埃を吸い込み可能に構成されている。
【００１６】
図４〜図５に示すように、塵埃吸引装置３は、吸排気モータ６により回転される遠心式のファン７と、このファン７を収容するケーシング８と、このケーシング８の風上側にケーシング９と一体的に設けられた吸引カバー１０などが取り付けられている取付基板とを
有する。
【００１７】
この構成において、吸排気モータ６を吸引のため正転させるとともに、ノズル駆動用モータ１１を駆動させる。すると、塵埃吸引装置３が作動した状態で、吸い込みノズル５がエアフィルター２の風上側の面に沿って移動し、この際、エアフィルター２に付着した塵埃が空気とともに吸い込み孔５ａを通して吸い込みノズル５内に吸い込まれ、吸い込みダクト４から塵埃吸引装置３に吸引された塵埃が空気とともに排気ダクトを通して室外に排出される。
【００１８】
ここで、長期に使用する場合、ファン７の表面に塵埃が堆積する可能性がある。このため、本発明ではファン７とケーシング９からＬ字状の板バネ１２を設けることにより、Ｌ字状の板バネ１２で欠き落した塵埃がＬ字状の板バネ12とファン7との間に引っ掛るのを防止するとともに塵埃を室外へ排出し易くできる。また、板バネ１２とファン７との間に剥離、離脱させた塵埃の固まりが通っても、板バネ１２の弾性によりＬ字状の板バネ１２がファン７から離れることにより、Ｌ字状の板バネ１２とファン７との間に塵埃が引っ掛るのを防止するとともに塵埃を室外へ排出し易くし、ファン７のロックを防止することにより、信頼性の高い空気調和機の塵埃吸引装置３を提供することができる。
【００１９】
（実施の形態２）
図５に示すように塵埃吸引装置３のファン７の内周面近傍に設けたＬ字状の板バネ１２の先端形状を円弧状１２ａにすることにより、ファン７表面に付着した塵埃を剥離、離脱させ易くし塵埃を室外へ排出し易くすることができる。また、板バネ１２とファン７との間に剥離、離脱させた塵埃の固まりが通っても、板バネ１２の弾性によりＬ字状の板バネ１２がファン７から離れることにより、Ｌ字状の板バネ１２とファン７との間に塵埃が引っ掛るのを防止するとともに塵埃を室外へ排出し易くし、ファン７のロックを防止することにより、信頼性の高い空気調和機の塵埃吸引装置３を提供することができる。
【００２０】
（実施の形態３）
図６に示すように塵埃吸引装置３のファン７の内周面近傍に設けたＬ字状の板バネ１２をバネ１３を介してケーシング部に固定されていることにより、ファン表面に付着した塵埃を剥離、離脱させ易くし塵埃を室外へ排出し易くすることができる。また、板バネ１２とファン７との間に剥離、離脱させた塵埃の固まりが通っても、バネ１３の張力によりＬ字状の板バネ１２がファン７から離れることにより、ファン７との間に塵埃が引っ掛るのを防止するとともに塵埃を室外へ排出し易くし、ファン７のロックを防止することにより、信頼性の高い空気調和機の塵埃吸引装置を提供することができる。
【産業上の利用可能性】
【００２１】
以上のように、本発明にかかる空気調和機は、空気調和機以外でも、エアフィルターを有し、室外に排気可能な環境に設置される機器に対しても適用可能である。
【図面の簡単な説明】
【００２２】
【図１】本発明の実施の形態における空気調和機の室内ユニットの正面図
【図２】本発明におけるエアフィルターの自動清掃装置の正面図
【図３】本発明におけるエアフィルターの自動清掃装置の斜視図
【図４】本発明における塵埃吸引装置の正面図および断面Ａ−Ａ図
【図５】本発明の実施形態２における塵埃吸引装置の断面斜視図
【図６】本発明の実施形態３における塵埃吸引装置の断面斜視図
【符号の説明】
【００２３】
１  室内ユニット
２  エアフィルター
３  塵埃吸引装置
４  吸い込みダクト
５  吸い込みノズル
５ａ  各吸い込み孔
６  吸排気モータ
７  ファン
８  ケーシング
９  風上側ケーシング
１０  吸引カバー
１１  ノズル駆動用モータ
１２  Ｌ字状の板バネ
１２ａ  円弧状
１３  バネ
【図１】
2007298208.tif 000003
【図２】
2007298208.tif 000004
【図３】
2007298208.tif 000005
【図４】
2007298208.tif 000006
【図５】
2007298208.tif 000007
【図６】
2007298208.tif 000008